(57)【要約】【課題】広範囲に送風して均一に洗濯物を乾かすことができる空調装置を提供する。【解決手段】この発明の浴室換気乾燥機２０の吹出口２７には空気の送風方向を決める吹出グリル３０が設けられ、この吹出グリル３０は室内の幅方向に関して真っ直ぐ及びその斜め両側方向に空気を吹出可能とする吹出風向板３１〜３３を有していることを特徴とする。【選択図】  図３
2004278956.tif 000002
【特許請求の範囲】
【請求項１】
取り入れた空気を室内へ送風するための吹出口に、空気の送風方向を定める吹出グリルが設けられ、該吹出グリルには複数方向に空気を誘導する吹出風向板が設けられていることを特徴とする空調装置。
【発明の詳細な説明】
【０００１】
【発明が属する技術分野】
この発明は浴室等に設置され、暖房、乾燥等の機能を有する空調装置に関する。
【０００２】
【従来の技術】
従来から、浴室等に設置されて、浴室乾燥機能を有する浴室換気乾燥機が公開されている（例えば特許文献１参照）。
【０００３】
この浴室換気乾燥機は、浴室内の空気を送風機により吸い込んで、ヒータを通して吹出口グリルから空気を浴室内に吹き出すことにより、浴室内に設けた物干し竿に掛けた衣類を乾燥させようとするものである。この吹出口グリルは円形開口部とされており、この円形開口部の縁部に円形の縁部を有する風向き板を嵌着したものである。風向き板は円形開口部の中心軸に対して傾斜しており、風向き板を円形開口部の中心軸の周りに回転させることによって、風向きを変えることが出来るようになっている。
【０００４】
【特許文献１】
特開平９−２９２１４８号公報（段落０００７〜００１２、図３，図４）
【０００５】
【発明が解決しようとする課題】
しかしながら、従来の空調装置では、円形の吹出グリルを回転させても、一方向にしか送風できないため、浴室の左右両壁に物干し竿を掛け渡して洗濯物を乾燥させる場合、吹出方向をその都度洗濯物の方向に向けなければならないという問題があった。
【０００６】
また、洗濯物がタオルケットのように幅広いものやたくさんの衣類を乾燥させる場合には、タオルケットの一部や一部の衣類のみに風が当たることとなって、洗濯物の乾きが不均一になるという問題があった。
【０００７】
本発明は、このような問題に着目してなされたものであり、浴室にて洗濯物を乾燥させる場合に手間がかからず、しかも、たくさんの衣類を均一に乾燥することが可能な空調装置を提供することにある。
【０００８】
【課題を解決するための手段】
この発明の空調装置は、取り入れた空気を室内へ送風するための吹出口に、空気の送風方向を定める吹出グリルが設けられ、該吹出グリルには複数方向に空気を誘導する吹出風向板が設けられていることを特徴とする。
【０００９】
【発明の実施の形態】
以下、図面を用いて実施の形態にかかる空調装置を説明する。
【００１０】
図１及び図２において浴室用の空調装置としての浴室換気乾燥機２０は浴室の浴槽３（図５参照）の上方に配設され、浴槽３の洗い場４側の上方にランドリーパイプ１３が取り付けられている。
【００１１】
浴室換気乾燥機２０は、予め天井Ｔに設けた開口部ｔ内に収納される換気装置本体２１を有する。換気装置本体２１は天井Ｔに図示しないねじで固定穴位置ＴＨに固定される。更に、換気装置本体２１の浴室側に臨む部位にはフロントパネル２５がねじＮによって取付穴ＫＳを介して換気装置本体２１に固定される。このフロントパネル２５には、浴室２（図５参照）内の空気を吸い込む吸込口２２と浴室２内へ風を吹き出す吹出口２３とが設けられている。
【００１２】
換気装置本体２１の吹出口２７内にはセラミックヒータＨ（図２参照）が設けられており、吹出口２３から吹き出す空気をセラミックヒータＨによって暖めることが出来るようになっている。
【００１３】
換気装置本体２１の側方には排気口２４が設けられており、この排気口２４は図示しないダクトを介して室外に連通されている。換気装置本体２１内にはダンパＤが設けられており、このダンパＤは図２に示すように実線位置Ｐ１と鎖線位置Ｐ２と破線位置Ｐ３とに切り換え可能となっている。ダンパＤが実線位置Ｐ１に切り換わると、吸込口２２、２６と吹出口２３とが連通されてセラミックヒータＨの通電により暖房モードとなる。ダンパＤが破線位置Ｐ３に切り換わると、吸込口２２、２６と排気口２４とが連通されて、換気モードとなる。また、ダンパＤが中間位置である鎖線位置Ｐ２に切り換わると、セラミックヒータＨの通電により乾燥モードとなり、洗濯物の乾燥が行えるようになっている。さらに、セラミックヒータＨを非通電状態にすると、涼風モードとして風を吹出口２３から吹き出すようになっている。浴室換気乾燥機２０の運転を停止させたときには、ダンパＤが実線位置Ｐ１に切り換えられるとともにセラミックヒータＨが非通電状態となるようになっている。
【００１４】
なお、換気、暖房、乾燥、涼風モード等の運転モードは図示しない操作手段（リモートコントローラ）に設けられたそれぞれのモード毎の選択手段（選択ボタン）が選択された時に各運転モードが実行されるようになっている。操作手段は有線式でも良いし、赤外線や電波式のように無線式でも良い。
【００１５】
暖房モードは入浴前に浴室を暖めておくときの予備暖房として利用できる。又、入浴モードを設けて図示しない遠赤外線ヒータを利用して輻射熱により入浴者を暖めるようにしても良い。換気モードは浴室内の換気及び図示しない浴室扉等に設けたガラリを介して、脱衣所及び居室等の室内の換気を行うことも出来る。涼風モードは、夏場などの蒸し暑いときに、湿気を排出しつつ、浴室内に涼しい空気を供給するため、涼しく入浴できる。乾燥モードは、浴室内を衣類乾燥室として利用できる。浴室内の乾燥も行え、湿気の多い浴室内のカビの発生等を抑制することも可能である。
【００１６】
フロントパネル２５には図３及び図４に示すような吸気グリル２８が取り付けられており、この吸気グリル２８には吸入口２２が設けられていて、浴槽３上から浴室内部の空気を吸引する。
【００１７】
浴室換気乾燥機２０の吹出口２７には吹出グリル３０が取り付けられ、この吹出グリル３０の吹出口２３が形成されている。この吹出口２３には幅方向（図５のＢ方向）に配列された吹出風向板３１〜３３が形成されている。これら吹出風向板３１〜３３は浴室２の奥行き方向及び幅方向の吹出方向を決め、洗い場方向に送風するようにその向きが設定されるとともに、浴室２の幅方向の吹出方向を決めるものとされている。３つの吹出風向板３１〜３３のうち中央部の吹出風向板３１は幅方向に関して洗い場方向に真っ直ぐに風を誘導するものであり、この吹出風向板３１の左側（図３において）の吹出風向板３２は浴室２の洗い場の斜め左側（図５において）に風を方向付けるものであり、吹出風向板３１の右側（図３において）の吹出風向板３３は浴室２の洗い場の斜め右側（図５において）に風を方向付けるものである。
【００１８】
したがって、浴室換気乾燥機２０は、浴室２の幅方向（図５において矢印Ｂ方向）について洗い場に向け真っ直ぐ及び左右方向に送風できるため、浴室の全幅範囲に風を振りまくことができることとなる。
【００１９】
これにより浴室２に洗濯物１４を干した場合、これがタオルケットのような幅の広いものや、多数の洗濯物１４であって広範囲に亘って乾燥風を送風できることとなり、洗濯物１４の全域を均一に早く乾かすことができることとなる。
【００２０】
以上説明した実施形態においては、吹出口グリル３０が室内の幅方向に関して３方向に空気を吹き出すようになっているが、４方向以上でも良い。
【００２１】
浴室の洗い場方向並びにその方向の両側というように吹出風向板を異なった方向にすることにより、同時に異なった方向への送風を可能としている。
【００２２】
尚、洗い場側とその方向の両側の２方向としているが、複数方向であれば良く、４方向でも良い。又、吹出風向板の角度は、手動や電動で調整できるようにしても良く、その場合は洗濯物の量に応じて、適切に吹出方向を設定することが出来る。
【００２３】
ダンパにより風路を切り換える空調装置について説明したが、ダンパを用いず換気ファンと循環ファンを用いるものでも良い。
【００２４】
【発明の効果】
以上説明したように、この発明によれば、浴室の広範囲にほぼ均一に送風することができ、衣類等を乾燥する場合に、むら無く均一に乾燥させることができる。
【図面の簡単な説明】
【図１】この発明に係る空調装置の概観を示した斜視図である。
【図２】図１に示す空調装置の構成を概略的に示した断面図である。
【図３】図１、２に示す空調装置のフロントパネルの構成を示した平面図である。
【図４】図３に示すフロントパネルの構成を示した断面図である。
【図５】図１〜図４に示す空調装置の作用を説明するための説明図である。
【符号の説明】
２  浴室
３  浴槽
４  洗い場
２０  空調装置
２６  吸込口
２４  排気口
２７  吹出口
３０  吹出グリル
３１〜３３  吹出風向板
Ｄ  ダンパ
Ｆ１  送風ファン
【図１】
2004278956.tif 000003
【図２】
2004278956.tif 000004
【図３】
2004278956.tif 000005
【図４】
2004278956.tif 000006
【図５】
2004278956.tif 000007